(57)【要約】【課題】利用者が視聴した番組や利用者の嗜好に合った番組が、ループ記録の記録領域に記録されていた場合に、容易にループ記録の記録領域とは別の領域にダビングまたはムーブ記録する。【解決手段】実施形態によれば、実施形態によれば、記録再生装置は、１個または複数のチャンネルについて１個または複数の時間帯に亘ってコンテンツをループ記録する第１の記録様式よってコンテンツを記録する第１の記録装置と、利用者が任意に個別のコンテンツを選択して記録する第２の記録様式によってコンテンツを記録する第２の記録装置と、前記第１の記録装置に記録されたコンテンツを前記第２の記録装置にダビングするかを判定するダビング判定手段と、前記ダビング判定手段においてダビングすると判定された場合に前記第１の記録装置に記録されたコンテンツを前記第２の記録装置にダビングする記録制御手段と、を有する。【選択図】図５
2015056767.tif 000002
【特許請求の範囲】
【請求項１】
１個または複数のチャンネルについて１個または複数の時間帯に亘ってコンテンツをループ記録する第１の記録様式よってコンテンツを記録する第１の記録装置と、
利用者が任意に個別のコンテンツを選択して記録する第２の記録様式によってコンテンツを記録する第２の記録装置と、
前記第１の記録装置に記録されたコンテンツを前記第２の記録装置にダビングするかを判定するダビング判定手段と、
前記ダビング判定手段においてダビングすると判定された場合に前記第１の記録装置に記録されたコンテンツを前記第２の記録装置にダビングする記録制御手段と、
を有する記録再生装置。
【請求項２】
前記第１の記録装置に記録されたコンテンツが再生されたか否かを判定する再生履歴判定手段を備え、
前記ダビング判定手段は、前記視聴履歴判定手段によって前記第１の記録装置に記録されたコンテンツが再生された場合は前記第２の記録装置にダビングすると判定し、再生されていない場合はダビングしないと判定する請求項１に記載された記録再生装置。
【請求項３】
前記第１の記録装置に記録されたコンテンツが利用者の嗜好に合っているかを判定する視聴履歴判定手段を備え、
前記ダビング判定手段は、前記視聴履歴判定手段によって前記第１の記録装置に記録されたコンテンツが利用者の嗜好にあっている場合は前記第２の記録装置にダビングすると判定し、合っていない場合はダビングしないと判定する請求項１に記載された記録再生装置。
【請求項４】
ネットワークに接続されたサーバから一般の視聴者の視聴情報を取得し、第１の記録装置に記録されたコンテンツが人気コンテンツであるか否かを判定する人気コンテンツ判定手段を備え、
前記ダビング判定手段は、前記人気コンテンツ判定手段によって前記第１の記録装置に記録されたコンテンツが利用者の嗜好にあっている場合は前記第２の記録装置にダビングすると判定し、合っていない場合はダビングしないと判定する請求項１に記載された記録再生装置。
【請求項５】
第２の記録装置の記録容量の残量が所定の値より少なくなったかを判定する残量判定手段を備え、
前記ダビング判定手段は、前記残量判定手段によって第２の記録装置の記録容量の残量が所定の値より少なくなった場合にダビングしないと判定する請求項１乃至請求項４に記載されたいずれか１項に記載された記録再生装置。
【請求項６】
１個または複数のチャンネルについて１個または複数の時間帯に亘ってコンテンツをループ記録する第１の記録様式によってコンテンツを第１の記録装置に記録するステップと、
利用者が任意に個別のコンテンツを選択して記録する第２の記録様式によってコンテンツを第２の記録装置に記録するステップと、
前記第１の記録装置に記録されたコンテンツを前記第２の記録装置にダビングするかを判定するダビング判定ステップと、
前記ダビング判定ステップにおいてダビングすると判定された場合に前記第１の記録装置に記録されたコンテンツを前記第２の記録装置にダビングするステップと、
を有する記録再生方法。
【発明の詳細な説明】
【技術分野】
【０００１】
本発明の実施形態は、記録再生装置及び記録再生方法に関する。
【背景技術】
【０００２】
近年、地上デジタル放送、ＢＳ／ＣＳデジタル放送が本格的に運用され、多くの番組が高画質、高音質で視聴できる環境が整ってきた。デジタル放送は、電子番組表（ＥＰＧ（Electronic Program Guide））の仕組みが備えられており、約１週間先までの番組表が表示でき、放送時間や出演者など番組内容の表示や知りたい情報の検索、番組の視聴予約や録画予約を行うことができる。
【０００３】
チャンネル数の増加に伴い、利用者が視聴したい番組の放送時間が増大し、また放送時間が重複したりすることが起きるため、番組を録画して利用者の都合に合わせた時間に視聴する機会が増えてきた。複数のチューナと比較的大きな記憶容量を有する記録装置を用いて、１個または複数のチャンネルについて、１個または複数の時間帯に亘って放送番組をループ記録し、常時過去の数十時間の放送データを一時保管する丸録り記録の機能を有する記録再生装置が登場している。利用者は一時保管された時間をさかのぼって番組を視聴することができる。
【先行技術文献】
【特許文献】
【０００４】
【特許文献１】特開２０１０−１１８８６７号公報
【発明の概要】
【発明が解決しようとする課題】
【０００５】
ループ記録は、記録再生装置の記録装置に固定的な領域を確保し、その固定的な領域内で通常の記録とは独立して上書き記録を繰り返す記録方式である。ループ記録の領域は、記録装置内で通常の記録用の領域と別に設けられる場合や、記録装置の記録領域全体をループ記録の領域とする場合がある。ループ記録領域に記録が開始され、ループ記録領域の終点まで記録が進むと、ループ記録領域の始点に戻って続きの記録を続行する。よって、ループ記録で記録した記録データは記録時期が古い番組から順に上書き消去される。
【０００６】
ループ記録で記録した記録データは記録時期が古い番組から順に上書き消去されるが、たとえ未再生の番組であっても時間の経過と共に上書き消去されてしまう。そのため、利用者が視聴してもう一度視聴したい番組や連続ドラマ等の同一グループ番組について、利用者の容易な操作によって上書き消去から番組を保護することができる記録再生装置が望まれている。
【０００７】
本発明の目的は、上記したような事情に鑑み成されたものであって、利用者が視聴した番組や利用者の嗜好に合った番組が、ループ記録の記録領域に記録されていた場合に、容易にループ記録の記録領域とは別の領域にダビングまたはムーブ記録することができる記録再生装置及び記録再生方法を提供することである。
【課題を解決するための手段】
【０００８】
上記目的を達成するために、実施形態によれば、記録再生装置は、１個または複数のチャンネルについて１個または複数の時間帯に亘ってコンテンツをループ記録する第１の記録様式よってコンテンツを記録する第１の記録装置と、利用者が任意に個別のコンテンツを選択して記録する第２の記録様式によってコンテンツを記録する第２の記録装置と、第１の記録装置に記録されたコンテンツを前記第２の記録装置にダビングするかを判定するダビング判定手段と、前記ダビング判定手段においてダビングすると判定された場合に前記第１の記録装置に記録されたコンテンツを前記第２の記録装置にダビングする記録制御手段と、を有する。
【図面の簡単な説明】
【０００９】
【図１】実施形態に係る記録再生装置の外観斜視図。
【図２】実施形態に係る記録再生装置の構成を示したブロック図。
【図３】実施形態に係わる記録制御モジュールの構成を示したブロック図。
【図４】実施形態に係わるダビング判定モジュールの構成を示したブロック図。
【図５】画面に自動ダビング設定ウィンドウが表示された状態を示した図。
【図６】自動ダビング処理の動作手順を示したフローチャート。
【発明を実施するための形態】
【００１０】
以下実施形態について図面を参照しながら説明する。図１は、実施形態に係る記録再生装置１の外観斜視図である。記録再生装置１は、デジタル放送を受信し、受信した放送番組（コンテンツ）の映像データ及び音声データの記録および再生が可能であって、画面にコンテンツの映像を表示するデジタルテレビ、ＰＣ（Personal Computer）や携帯端末等の映像記録再生装置である。あるいは、デジタル放送を受信し、受信したコンテンツの映像データ及び音声データの記録および再生が可能なＤＶＤ（Digital Versatile Disc）レコーダやＢｌｕ−ｒａｙ（登録商標）レコーダ等であってもよい。
【００１１】
記録再生装置１の実施形態として、デジタルテレビを一例として説明する。記録再生装置１は、本体２と、本体２を支持するスタンド３を備えている。本体２は前面側に液晶パネルやＰＤＰ（Plasma Display Panel）パネル等の表示パネル４が配置され、表示パネル４の背面側に表示パネル４を支持する図示しないフレームが配置されている。フレームには表示パネル４を駆動するための図示しない回路基板や電源回路が設置されている。
【００１２】
筐体２は、筐体２の前面側と上面、底面、両側側面の一部を覆う前面カバー５と、筐体２の背面側と上面、底面、両側側面の一部を覆う背面カバー６とによって外面が囲まれている。画面７は、表示パネル４の前面カバー５の窓部５ａの内側の表示部分である。
【００１３】
リモコン８は赤外線あるいはBluetooth（登録商標）等による無線通信を利用して、記録再生装置１の操作受信部へ操作信号を送る操作機器である。
【００１４】
図２は、実施形態に係る記録再生装置１の構成を示したブロック図である。アンテナ１０は、放送局１１から送信された放送電波を受信するための地上デジタル放送あるいは衛星デジタル放送用のアンテナである。チューナ１２は、地上デジタル放送、衛星デジタル放送あるいはケーブルテレビ放送の放送信号の中から所望のチャンネルの放送信号を選局する。チューナ１２は、複数のチューナユニットから構成されており、同時に複数の放送を受信することができる。アンテナ端子１２ａはアンテナ１０が接続される端子である。
【００１５】
復調器１３は、各々のデジタル放送の変調方式に対応して復調する。地上デジタル放送の信号は、ＯＦＤＭ（Orthogonal Frequency Division Multiplexing）復調で、衛星デジタル放送の信号は、ＰＳＫ（Phase Shift Keying）復調で、ＭＰＥＧ２（Moving Picture Experts Group phase 2）−ＴＳ（Transport Stream）に復調され、デコード処理モジュール１４に出力される。また、復調器１３は、ネットワーク送受信モジュール３２を介してインターネット等のネットワーク３３から受信したＩＰ放送を復調する。
【００１６】
デコード処理モジュール１４は、ＭＰＥＧデコーダ、映像音声デコーダ等の機能を有する。デコード処理モジュール１４は、復調器１３から送信されたＭＰＥＧ２−ＴＳデータをセクション化して、番組情報のデータをデコードする。映像ＰＥＳ（Packetized Elementary Stream）に対しては映像ＥＳ（Elementary Stream)化、音声ＰＥＳに対しては音声ＥＳ化を行って映像データ及び音声データをデコードする。
【００１７】
また、デコード処理モジュール１４は、記録装置ａ２６及び記録装置ｂ２７から入力された映像データ及び音声データをデコードする。更に、デコード処理モジュール１４は、外部装置３１から入力された映像データ及び音声データをデコードする機能を有する。
【００１８】
重畳処理モジュール１５は、デコード処理モジュール１４からの映像データと、バス２０を介して転送されるデータ放送やＧＵＩ（Graphical User Interface）情報によるウィンドウ描画をプレーン管理して、映像データとの重ね合わせを行い、映像処理モジュール１６に送る。
【００１９】
映像処理モジュール１６は、表示装置１７で表示可能なフォーマット（画素数、フレーム周波数、走査方式）に変換したり、表示色を任意に調整したりして、表示装置１７に出力して映像を画面７に表示させる。
【００２０】
音声処理モジュール１８は、デコード処理モジュール１４から伝送されたデジタルの音声データを、スピーカ１９あるいはイヤホン（図示しない）で再生可能なアナログ音声信号に変換した後、スピーカ１９あるいはイヤホンに出力して音声を再生させる。なお、表示装置１７やスピーカ１９は記録再生装置１の外部にあってもよい。また、記録再生装置１と別の筐体に納められていてもよい。
【００２１】
記録再生装置１は、上記した受信動作を含むその全ての動作を制御モジュール２１によって統括的に制御されている。制御モジュール２１はＭＰＵ（Micro Processing Unit）２２が搭載されており、バス２０を介して接続された各構成要素を制御する。
【００２２】
ＲＡＭ（Random Access Memory）２３は、制御モジュール２１のデータ処理に必要な各種データを格納するリードライト用のメモリであり、映像データ、画像フレームの情報等を格納するバッファメモリとして動作する。ＲＯＭ（Read Only Memory）２４は読出し専用のメモリであり、ＭＰＵ２２が実行する制御のプログラムなどを格納している。
【００２３】
フラッシュメモリ２５は、書き換え可能であり、電源を切ってもデータが消えない不揮発性のメモリである。フラッシュメモリ２５は、利用者によって設定された記録再生装置１の機能及び動作に関する各種設定値を記憶する機能を有する。また、フラッシュメモリ２５は、記録装置ａ２６及び記録装置ｂ２７に記録されたコンテンツの番組情報、再生履歴や利用者の視聴履歴等を記憶する機能を有する。
【００２４】
第１の記録装置である記録装置ａ２６及び第２の記録装置である記録装置ｂ２７は、ＨＤＤ（Hard Disk Drive）、ＳＳＤ（Solid State Drive）あるいはＯＤＤ（Optical Disc Drive）等を含む記録手段である。記録装置ａ２６及び記録装置ｂ２７には、情報を記録再生するためのエンコーダとデコーダが搭載されており、該エンコーダとデコーダを介してＭＰＥＧ２−ＴＳデータが記録装置ａ２６及び記録装置ｂ２７の記録再生形態に適したフォーマットに変調されＨＤＤ、ＳＳＤあるいはＯＤＤに記録され、また復調されて再生される。この再生データは、デコード処理モジュール１４でデコードされる。
【００２５】
記録装置ａ２６及び記録装置ｂ２７は、例えば、ＨＤＤである場合、２個の別のＨＤＤであってもよいし、または、１個のＨＤＤにおいて内部で別のパーティションによって分けられていてもよい。記録装置ａ２６は、所定の第１の記録容量を有する第１の記録領域を有する。また、記録装置ｂ２７は、所定の第２の記録容量を有する第２の記録領域を有する。第１の記録容量は、例えば、数十ＧＢ（Gigabyte）から数テラＢ（Terabyte）である。また、第２の記録容量は、例えば、数十ＧＢから数テラＢである。
【００２６】
操作受信モジュール２８は、操作機器２９から送信される操作信号を受信し、制御モジュール２１に転送する。操作機器２９は、例えば、赤外線あるいはBluetooth（登録商標）等による無線通信を利用したリモコン（リモートコントローラ、remote controller）８、有線式あるいは無線式キーボード等であり、操作信号を送出する。操作受信モジュール２８は、これらリモコン８やキーボード等から操作信号を受信する。
【００２７】
外部インターフェース３０は、ＵＳＢ（Universal Serial Bus）、ＩＥＥＥ１３９４（Institute of Electrical and Electronic Engineers 1394）、ｅＳＡＴＡ(external Serial ATA(AT Attachment)）、ＳＤ（Secure Digital）（登録商標）メモリカード、メモリースティック（登録商標）、あるいはＨＤＭＩ（登録商標）（High Definition Multimedia Interface）等のインターフェースであり、ＵＳＢメモリやＵＳＢ外部機器、ＳＤメモリカード、メモリースティック、ＨＤＤ、ＳＳＤ、ＣＤ、ＤＶＤ、Blu-ray（登録商標）記録再生機等のドライブ類を含む外部装置３１が接続される。外部装置端子３０ａは外部装置３１が接続される端子である。
【００２８】
記録再生装置１は、外部インターフェース３０を介して外部装置３１にコンテンツを記録することができる。記録装置ｂ２７または外部装置３１のどちらに記録するかを利用者が選択できる。また、記録再生装置１は、外部装置３１に記録された映像または音声情報を再生することができる。
【００２９】
記録再生装置１は、ネットワーク送受信モジュール３２を介してインターネット等のネットワーク３３に接続されている。これにより、記録再生装置１は、ネットワーク３３上にあるサーバ３４等の機器とネットワーク送受信モジュール３２を介して情報伝送を行なうことができる。ネットワーク端子３２ａはネットワーク３５が接続される端子である。ネットワーク送受信モジュール３２とネットワーク３３の接続は有線だけでなく、例えば、ＩＥＥＥ８０２．１１シリーズの通信方式を用いた無線ＬＡＮ等の無線接続であってもよい。
【００３０】
図２において、制御モジュール２１は、記録制御モジュール３５、ダビング判定モジュール３６の機能を有する。これらの機能は、制御モジュール２１のＭＰＵ２２が実行するアプリケーションであり、通常はＲＯＭ２４に格納されており、使用時にはＭＰＵ２２によって読み出され実行される。
【００３１】
図３は、実施形態に係わる記録制御モジュール３５の構成を示したブロック図である。記録制御モジュール３５は、丸録り記録モジュール３７ａとＰＶＲ記録モジュール３７ｂの機能を有する。記録制御モジュール３５は、各記録装置の記録領域の設定を行う。
【００３２】
本実施形態における記録再生装置１は、コンテンツの記録（録画）において２種類の記録様式を有している。第１の記録様式は、ループ記録方式を用いた丸録り記録である。丸録り記録とは、指定された１個または複数のチャンネルに就いて、指定された１個または複数の時間帯に亘ってコンテンツをループ記録し、過去数十時間のコンテンツを一時保管するものである。利用者は一時保管された時間をさかのぼってコンテンツを視聴することができる。一時保管できる時間は指定したチャンネル数によって変動する。
【００３３】
丸録り記録にはループ記録方式が用いられる。ループ記録とは、所定の記録容量を有する記録領域にコンテンツを記録し、記録するコンテンツの記録データの容量が所定の記録容量を超えると記録時期の古い記録データから順次上書きする記録方式である。よって、ループ記録で記録した記録データは、記録時期が古いコンテンツから順に上書き記録によって消去される。ループ記録による丸録り記録は、記録装置ａ２６に記録領域を確保し、その記録領域内でＰＶＲ記録とは別に独立して上書き記録を繰り返す記録方式である。
【００３４】
丸録り記録モジュール３７ａは、丸録り記録を制御する機能を有しており、丸録り記録のチャンネル設定、記録時間帯の設定、記録装置の記録容量の管理、ループ記録方式の記録制御等を行う。丸録り記録モジュール３７ａは、記録装置ａ２６（第１の記録装置）にループ記録する１個または複数のチャンネルや１個または複数の記録時間帯を設定する。
【００３５】
第２の記録様式は、利用者の要求に応じてコンテンツを指定して記録する通常の記録であり、利用者が随意に個別のコンテンツや連続番組を選択して都度記録したり予約して記録したりする。以後この記録様式をＰＶＲ（Personal Video Recording）記録と称する。ＰＶＲ記録は、例えば、視聴中のコンテンツの記録、番組表から選択したコンテンツの記録および予約記録、番組情報による番組検索機能を利用した予約記録、日時を指定した予約記録等がある。
【００３６】
ＰＶＲ記録モジュール３７ｂは、ＰＶＲ記録を制御する機能を有しており、利用者の操作に基づいて設定されたコンテンツの記録及び記録予約情報を管理し、視聴中のコンテンツの記録処理、記録予約されたコンテンツの記録処理を行う。また、記録装置ｂ２７（第２の記録装置）の記録可能時間の算出を行う。
【００３７】
図４は、実施形態に係わるダビング判定モジュール３６の構成を示したブロック図である。ダビング判定モジュール３６は、第１の記録装置２６に記録されたコンテンツを第２の記録装置２７にダビングするかを判定する機能を有する。第１の記録装置２６に丸録り記録されたコンテンツを第２の記録装置２７にムーブまたはダビングするかを、例えば、第１の記録装置２６に記録されたコンテンツが再生されたか否かを判定する再生履歴判定モジュール３８ａによって第１の記録装置２６に記録されたコンテンツが再生された場合は第２の記録装置２７にダビングすると判定し、再生されていない場合はダビングしないと判定する。
【００３８】
再生履歴判定モジュール３８ａは、第１の記録装置２６に記録されたコンテンツが再生されたか否かを判定する機能を有する。記録装置ａ２６に丸録り記録されたコンテンツが利用者によって再生されたかを判定する。再生されたコンテンツは少なくとも利用者にとって興味があったコンテンツであり、このようなコンテンツはＰＶＲ記録領域にムーブまたはダビングして残しておく価値があるとして、ダビング判定モジュール３６は、ダビングすると判定する。
【００３９】
ダビング判定モジュール３６は、また、例えば、第１の記録装置２６に記録されたコンテンツが利用者の嗜好に合っているかを判定する視聴履歴判定モジュール３８ｂによって第１の記録装置２６に記録されたコンテンツが利用者の嗜好に合っている場合は第２の記録装置２７にダビングすると判定し、合っていない場合はダビングしないと判定する。
【００４０】
視聴履歴判定モジュール３８ｂは、第１の記録装置２６に記録されたコンテンツが利用者の嗜好に合っているかを判定する機能を有する。嗜好情報は、ＰＶＲ記録されたコンテンツにおける番組情報（放送局名、放送日時、番組名、放送概要、出演者、番組詳細、番組分類等）、丸録り記録されたコンテンツの中で再生されたコンテンツの番組情報を取得して番組情報の項目毎に頻度をカウントし利用者が嗜好する傾向を集計した情報である。嗜好情報は、フラッシュメモリ２５に記憶される。
【００４１】
視聴履歴判定モジュールは、丸録り記録された一つのコンテンツについて、このコンテンツの番組情報と嗜好情報を比較して、頻度の高い項目に合致した項目があれば、利用者の嗜好に合っているコンテンツと判定する。
【００４２】
ダビング判定モジュール３６は、また、例えば、ネットワークに接続されたサーバから一般の視聴者の視聴情報を取得し、第１の記録装置２６に記録されたコンテンツが人気コンテンツであるか否かを判定する人気コンテンツ判定モジュール３８ｃによって第１の記録装置２６に記録されたコンテンツが人気コンテンツである場合は、第２の記録装置２７にダビングすると判定し、合っていない場合はダビングしないと判定する。
【００４３】
人気コンテンツ判定モジュール３８ｃは、ネットワーク３３に接続されたサーバ３４から一般の視聴者の視聴情報を取得し、第１の記録装置に記録されたコンテンツが人気コンテンツであるか否かを判定する機能を有する。人気コンテンツの視聴情報は、専用のサーバ３４上で一般の視聴者の間で視聴情報を共有、活用するシステムの中に含まれている。第１の記録装置２６に記録されたコンテンツと専用サーバ上で人気コンテンツとされたコンテンツとを比較し、人気コンテンツであるか否かを判定する。
【００４４】
ダビング判定モジュール３６は、また、例えば、第２の記録装置２７の記録容量の残量が所定の値より少なくなったかを判定する残量判定モジュール３８ｄによって第２の記録装置２７の記録容量の残量が所定の値より少なくなった場合はダビングしないと判定する。所定の値は利用者が設定できる。所定の値とは、例えば、２０％（パーセント）である。この場合には残量が２０％より少なくなった場合はダビングしないと判定する。残量の表示は全体に対する残量の比率でもよいし、記録可能時間で表示してもよい。
【００４５】
残量判定モジュール３８ｄは、第２の記録装置２７の残容量を監視しており、所定の容量よりも少なくなった場合にダビング判定モジュール３６に通知する。ダビング判定モジュール３６は、通知を受けるとダビングしない判定を他のダビング判定よりも優先する。
【００４６】
図５は、画面７に自動ダビング設定ウィンドウ４０が表示された状態を示した図である。自動ダビングは、設定内容に従って第１の記録装置に丸録り記録されたコンテンツを第２の記録装置に自動的にダビングするものである。第１の記録装置に記録されたコンテンツはループ記録で記録されているため記録時期が古いコンテンツから順に上書き記録によって消去されるが、第２の記録装置にムーブまたはダビングすれば、消去されることがない。
【００４７】
自動ダビング設定は、記録再生装置１に搭載された設定メニューにより設定することができる。リモコン８のメニューボタンを押下し、各種の設定メニュー（図示せず）の中から自動ダビング設定を選択することにより設定できる。
【００４８】
自動ダビング設定ウィンドウ４０の内部には、ダビング設定ウィンドウ４１とダビング判定基準ウィンドウ４２がある。ダビング設定ウィンドウ４１は、連ドラ関連付け４３とコンテンツ保護４４の設定項目があり、設定項目をリモコン８のカーソルボタン（図示せず）で選択してハイライトさせ、リモコン８の決定ボタンを押下すると設定が可能となる。設定項目の右側にチェックボックス４５があり、チェックボックス４５を選択して決定ボタンを押下すると設定マーク４６が表示され、もう一度決定ボタンを押下すると設定マーク４６が消える。決定ボタンを押下する度に交互に設定と非設定を変えることができる。
【００４９】
連ドラ関連付け４３の機能は、この機能をオンにすると、連続ドラマ等の連続番組を連続番組として紐付けしながら第２の記録装置２７にムーブまたはダビングする。このようにすることによってダビング後に利用者が第２の記録装置２７のコンテンツを視聴するときにコンテンツの探索が容易になる。
【００５０】
コンテンツ保護４４の機能は、この機能をオンにすると、第２の記録装置２７にムーブまたはダビングしたコンテンツを消去しないように保護することができる。
【００５１】
ダビング判定基準ウィンドウ４２は、再生履歴４７、視聴履歴４８、出演者情報４９、クラウド情報５０、残量５１の判定項目がある。再生履歴４７は、この判定機能をオンにすると、再生履歴判定モジュール３８ａによって、第１の記録装置２６に記録されたコンテンツが利用者によって再生されたか否かを判定し、ダビング判定モジュール３６が、第１の記録装置２６に記録されたコンテンツが再生された場合は第２の記録装置２７にダビングすると判定する。
【００５２】
視聴履歴４８は、この判定機能をオンにすると、視聴履歴判定モジュール３８ｂによって、第１の記録装置２６に記録されたコンテンツが利用者の嗜好に合っているかを判定し、ダビング判定モジュール３６は、コンテンツが利用者の嗜好に合っている場合は第２の記録装置２７にダビングすると判定する。
【００５３】
出演者情報４９は、この判定機能をオンにすると、視聴履歴判定モジュール３８ｂによって、第１の記録装置２６に記録されたコンテンツの出演者が利用者の出演者の嗜好情報に合っているかを判定し、ダビング判定モジュール３６は、コンテンツの出演者が利用者の出演者の嗜好情報に合っている場合は第２の記録装置２７にダビングすると判定する。
【００５４】
クラウド情報５０は、この判定機能をオンにすると、人気コンテンツ判定モジュール３８ｃによって、ネットワーク３３に接続されたサーバ３４から一般の視聴者の視聴情報を取得し、第１の記録装置に丸録り記録されたコンテンツの中で人気コンテンツがある場合は、第２の記録装置２７にダビングすると判定する。
【００５５】
残量５１は、この判定機能をオンにすると、残量判定モジュール３８ｄによって第２の記録装置２７の記録容量の残量が所定の値より少なくなった場合は、ダビング判定モジュール３６は、ダビングしないと判定する。残量表示５２は、ＰＶＲ記録用の第２の記録装置２７の残量を示す。
【００５６】
図６は、自動ダビング処理の動作手順を示したフローチャートである。自動ダビング処理は、自動ダビング設定に従って動作する。Ｓ１１において、記録制御モジュール３５は最新のダビング設定値を確認する。
【００５７】
Ｓ１２において、ダビング判定モジュール３６は、第１の記録装置に記録されたコンテンツを第２の記録装置にムーブまたはダビングするかを判定する。ムーブまたはダビングするコンテンツがあれば、Ｓ１３へ移る。ムーブまたはダビングするコンテンツが無ければ終了する。
【００５８】
Ｓ１３において、記録制御モジュール３５は、第１の記録装置から第２の記録装置へムーブまたはダビングする動作よりも優先度の高い動作を実行しているかを判定する。優先度の高い動作とは、視聴中または予約によるＰＶＲ記録、ＰＶＲ記録されたコンテンツの編集等である。優先度の高い動作を実行している場合は終了する。優先度の高い動作を実行していなければ、Ｓ１４へ移ってムーブまたはダビングを実行して終了する。
【００５９】
以上のように、丸録り記録によってコンテンツが記録された第１の記録装置から、ＰＶＲ記録によってコンテンツが記録された第２の記録装置にコンテンツをムーブまたはダビングするかをダビング判定手段によって判定し、ムーブまたはダビングすると判定された場合に第１の記録装置から第２の記録装置に自動的にムーブまたはダビングすることによって、利用者が視聴した番組や利用者の嗜好に合ったコンテンツが、容易にループ記録の記録領域とは別のＰＶＲ領域にムーブまたはダビング記録することができる。また、ムーブまたはダビングをし忘れることがなく、また第２の記録装置に無駄な記録をすることがなく効率的に記録ができる。
【００６０】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に異なる実施形態に亘る構成要素を適宜組み合わせてもよい。
【符号の説明】
【００６１】
１…記録再生装置、７…画面、８…リモコン、１４…デコード処理モジュール、１５…重畳処理モジュール、１６…映像処理モジュール、１７…表示装置、２１…制御モジュール、２２…ＭＰＵ、２３…ＲＡＭ、２４…ＲＯＭ、２５…フラッシュメモリ、２６…記録装置ａ、２７…記録装置ｂ、２８…操作受信モジュール、２９…操作機器、３０…外部インターフェース、３１…外部装置、３２…ネットワーク送受信モジュール、３３…ネットワーク、３４…サーバ、３５…記録制御モジュール、３６…ダビング判定モジュール、３７ａ…丸録り記録モジュール、３７ｂ…ＰＶＲ記録モジュール、３８ａ…再生履歴判定モジュール、３８ｂ…視聴履歴判定モジュール、３８ｃ…人気コンテンツ判定モジュール、３８ｄ…残量判定モジュール、４０…自動ダビング設定ウィンドウ、４１…ダビング設定ウィンドウ、４２…ダビング判定基準ウィンドウ、４３…連ドラ関連付け、４４…コンテンツ保護、４５…チェックボックス、４６…設定マーク、４７…再生履歴、４８…視聴履歴、４９…出演者情報、５０…クラウド情報、５１…残量、５２…残量表示。
【図１】
2015056767.tif 000003
【図２】
2015056767.tif 000004
【図３】
2015056767.tif 000005
【図４】
2015056767.tif 000006
【図５】
2015056767.tif 000007
【図６】
2015056767.tif 000008